(57)【要約】【課題】眼鏡の荷重の前後偏在をなくし、装着者の鼻梁への圧迫感や装着負担を軽減し、また装着状態において、衝撃や振動等の外力が加わった際に前下方へずれ落ちてしまうことのない眼鏡の耳掛け構造、及びこれを備えた眼鏡を提供する。【解決手段】本考案の眼鏡は、つるにおける耳掛け部の端部又はその近傍を所定の質量体で形成し、装着時に耳と耳掛け部との接触部分を支点としてこの支点に眼鏡全体の荷重の過半量がかかるように前後に重量配分又はモーメント配分してなる。また、つるにおける湾曲又は屈曲形状の耳掛け部のうち、耳への接触部よりも先側の後方部が、耳への接触部を含むつる側の前方掛け部に対して分離可能に接続され、且つ、後方部のさらに先側には装着時に斜め下後方へ伸長する伸長部が形成され、後方部及び伸長部によって前記所定の質量体が構成されることが好ましい。【選択図】  図２
0003174825.tif 000002
【実用新案登録請求の範囲】
【請求項１】
つるにおける耳掛け部の端部又はその近傍を所定の質量体で形成し、装着時に耳と耳掛け部との接触部分を支点としてこの支点に眼鏡全体の荷重の過半量がかかるように前後に重量又はモーメント配分してなることを特徴とする眼鏡。
【請求項２】
つるにおける湾曲又は屈曲形状の耳掛け部のうち、耳への接触部よりも先側の後方部が、耳への接触部を含むつる側の前方掛け部に対して分離可能に接続され、且つ、後方部のさらに先側には装着時に斜め下後方へ伸長する伸長部が形成され、後方部及び伸長部によって前記所定の質量体が構成される請求項１に記載の眼鏡。
【請求項３】
前記つるにおける耳掛け部のうち、耳への接触部以遠の後方部が、耳への接触部を少なくとも部分的に含むつる側の前方掛け部に対して角度調節可能に接続され、且つ、後方部のさらに先側には装着時に斜め下後方へ伸長する伸長部が形成され、後方部及び伸長部によって前記所定の質量体が構成される請求項１又は２に記載の眼鏡。
【請求項４】
前記耳掛け部は、レンズフレームから後方へ伸長するつる本体の伸長軸周りに回動調節可能とする回動機構と、この回動機構よりも先側にて、つる本体の伸長方向に対して湾曲又は屈曲方向に膨出形成された後方部とを具備してなり、前記後方部によって前記所定の質量体が構成される請求項１乃至３のいずれかに記載の眼鏡。
【請求項５】
左右の質量体の一部同士を取り外し可能に繋いで弾性連結される線状又は帯状の連結材を具備してなり、眼鏡の装着時においてこの連結材が左右の耳の後方から装着者の後頭部または前顎部近傍を弾性伸長した状態で亘る請求項１乃至４のいずれかに記載の眼鏡。
【請求項６】
眼鏡を構成する左右のレンズフレームの上枠部又はこれらレンズフレームを繋ぐ連結フレームから交差して後方へ伸び、装着者のこめかみ近傍に先端当接する当接フレームを具備してなる請求項１乃至５のいずれかに記載の眼鏡。
【請求項７】
請求項１乃至６のいずれかに記載の眼鏡における質量体を除く眼鏡本体と、つるの端部又はその近傍にそれぞれ取り付け可能な、互いに形状又は／質量の異なる複数の質量体とを具備した眼鏡セットからなり、所定形状及び所定質量であるいずれかの質量体を各つるの端部又はその近傍に取り付けることで、前記支点を境とした前方と後方のモーメント配分が均等となっていることを特徴とする眼鏡セット。
【請求項８】
請求項１乃至６のいずれかに記載の眼鏡において、つるにおける耳掛け部の一部またはその延長部として、耳掛け部の耳への接触部よりも後方を含む部分に取り付け可能に構成された所定の質量体からなる耳掛け構造であって、前記取り付けられた状態で、装着時に耳と耳掛け部との接触部分を支点としてこの支点に眼鏡全体の荷重の過半量がかかるように前後に重量配分する付加構造であることを特徴とする眼鏡の耳掛け構造。
【考案の詳細な説明】
【技術分野】
【０００１】
本考案は眼鏡、眼鏡セット及び眼鏡の耳掛け構造に関する。
【背景技術】
【０００２】
眼鏡フレームとして従来、細いレンズ装着フレームのときにも、つる同士の間の寸法が容易に変更できるようにしたものが開示される。これは具体的には、つる部材の一端がレンズ装着フレームの背面側左右両端上部に設けられた略水平方向の溝部に嵌合され、レンズ装着フレームの前記溝部に設けたビス穴にレンズ装着フレームの表面側から挿通したビスが、つる部材の前記一端に設けた長穴を貫通して突出し、左右反転すると前記長穴に対する左右方向の位置が左右反転前のときとずれる部位にビス穴を有する前記長穴の背面に位置するナット部材の前記ビス穴に螺合してビスによりレンズ装着フレームと左右一対のつる部材とが一体化されたものが開示される（特許文献１）。これはレンズが装着される眼鏡のフレームにおいて、左右一対のつる同士の間の寸法が使用者の顔に合っていないと眼鏡がずり落ちそうになったり、逆に顔が強く挟まれて不快になることに鑑みたものであり、上記構成によれば、つる同士の間の寸法調節が簡単に行えるため、つる同士の間の寸法が異なった多くのフレームを準備しておく必要はなく、したがって在庫量を減らすことができる、とされる。
【先行技術文献】
【特許文献】
【０００３】
【特許文献１】実用新案登録第３０９９０７８号公報
【考案の概要】
【考案が解決しようとする課題】
【０００４】
しかしながら、上記従来の眼鏡の荷重は前後に偏在しており、つるの端末側がつるの前方側よりも軽くなっている。このため、メガネを装着すると、軽いつるの端末側は左右の耳に掛けられて、耳への付加は更に二分されて軽くなる一方、つるの前方側の眼鏡の荷重は鼻パット（鼻当て）を介して装着者の鼻の上に重く付加されている。これに基づき、たとえ左右のつる間の距離を調整しても、鼻パット（鼻当て）の接触部である装着者の鼻梁への圧迫感や装着負担が存在していた。また装着状態では、装着者の鼻の上に重量負荷させた前方寄りの重量配分となっているため、衝撃や振動等の外力が加わった際に前下方へずれ落ちてしまうことがあった。
【０００５】
そこで本考案では、眼鏡の荷重の前後偏在をなくし、装着者の鼻梁への圧迫感や装着負担を軽減し、また装着状態において、衝撃や振動等の外力が加わった際に前下方へずれ落ちてしまうことのない眼鏡の耳掛け構造、及びこれを備えた眼鏡を提供することを課題とする。
【課題を解決するための手段】
【０００６】
上記課題を解決すべく本考案では以下（１）〜（８）の手段を講じている。
（１）すなわち本考案の眼鏡は、つるにおける耳掛け部の端部又はその近傍を所定の質量体で形成し、装着時に耳と耳掛け部との接触部分を支点としてこの支点に眼鏡全体の荷重の過半量がかかるように前後に重量配分又はモーメント配分してなることを特徴とする。
（２）前記眼鏡において、つるにおける湾曲又は屈曲形状の耳掛け部のうち、耳への接触部よりも先側の後方部が、耳への接触部を含むつる側の前方掛け部に対して分離可能に接続され、且つ、後方部のさらに先側には装着時に斜め下後方へ伸長する伸長部が形成され、後方部及び伸長部によって前記所定の質量体が構成されることが好ましい。
（３）前記いずれかの眼鏡において、つるにおける耳掛け部のうち、耳への接触部以遠の後方部が、耳への接触部を少なくとも部分的に含むつる側の前方掛け部に対して角度調節可能に接続され、且つ、後方部のさらに先側には装着時に斜め下後方へ伸長する伸長部が形成され、後方部及び伸長部によって前記所定の質量体が構成されることが好ましい。
（４）前記眼鏡において、耳掛け部は、レンズフレームから後方へ伸長するつる本体の伸長軸周りに回動調節可能とする回動機構と、この回動機構よりも先側にて、つる本体の伸長方向に対して湾曲又は屈曲方向に膨出形成された後方部とを具備してなり、前記後方部によって前記所定の質量体が構成されることが好ましい。
つるは、レンズフレームから後方へ伸長するフレーム枠状のつる本体と、つる本体の先側にて耳への掛け部として取り付けられた湾曲又は屈曲棒状の耳掛け部とから構成される。
（５）前記いずれかに記載の眼鏡において、左右の質量体の一部同士を取り外し可能に繋いで弾性連結される線状又は帯状の連結材を具備してなり、眼鏡の装着時においてこの連結材が左右の耳の後方から装着者の後頭部または前顎部近傍を弾性伸長した状態で亘ることとしてもよい。上記連結材は、眼鏡が不要に落下しないだけの落下防止帯の機能を果たす。
（６）前記いずれかに記載の眼鏡において、眼鏡本体を構成する左右のレンズフレームの上枠部又はこれらレンズフレームを繋ぐ連結フレームから交差して後方へ伸び、装着者のこめかみ近傍に先端当接する当接フレームを具備してなるものとしてもよい。
（７）本考案の眼鏡セットは、前記いずれかに記載の眼鏡における質量体を除く眼鏡本体と、つるの端部又はその近傍にそれぞれ取り付け可能な、互いに形状又は／質量の異なる複数の質量体とを具備した眼鏡セットからなり、所定形状及び所定質量であるいずれかの質量体を各つるの端部又はその近傍に取り付けることで、前記支点を境とした前方と後方のモーメント配分が均等となっていることを特徴とする。
（８）本考案の眼鏡の耳掛け構造は、前記いずれかの眼鏡において、つるにおける耳掛け部の一部またはその延長部として、耳掛け部の耳への接触部よりも後方を含む部分に取り付け可能に構成された所定の質量体からなり、取り付けられた状態で、装着時に耳と耳掛け部との接触部分を支点としてこの支点に眼鏡全体の荷重の過半量がかかるように前後に重量配分する耳掛け構造であることを特徴とする。
【考案の効果】
【０００７】
本考案は上記手段を講じることで、眼鏡の荷重の前後偏在をなくし、装着者の鼻梁への圧迫感や装着負担を軽減し、また装着状態において、衝撃や振動等の外力が加わった際に前下方へずれ落ちてしまうことのない眼鏡の耳掛け構造、及びこれを備えた眼鏡を提供するものとなった。
【図面の簡単な説明】
【０００８】
【図１】実施例１の耳掛け構造を含む眼鏡の構成を示す後方斜視図。
【図２】実施例１の眼鏡の装着状態例を示す側面視説明図。
【図３】実施例１の眼鏡の他の連結材による装着状態例を示す側面視説明図。
【図４】実施例２の眼鏡の耳掛け部の構成を説明する側面視要部部分拡大図。
【図５】実施例３の眼鏡の耳掛け部の構成を説明する側面視要部部分拡大図。
【図６】実施例４の耳掛け構造を含む眼鏡の構成を示す後方斜視図。
【図７】実施例４の眼鏡の装着状態例を示す側面視説明図。
【図８】実施例５の眼鏡の構成を示す正面視説明図。
【考案を実施するための形態】
【０００９】
以下本考案を実施するための形態例につき、実施例として示す各図と共に説明する。図１〜図３は実施例１の耳掛け構造及びこれを備えた眼鏡を示し、図４，図５はそれぞれ実施例２及び実施例３の耳掛け部の構成を部分的に示し、図６，７は実施例４の耳掛け構造及びこれを備えた眼鏡を示し、そして図８は実施例５の眼鏡を示す。
【００１０】
いずれの実施例においても、本考案の眼鏡は基本的に、つるにおける耳掛け部の端部又はその近傍を所定の質量体で形成し、装着時に耳と耳掛け部との接触部分を支点としてこの支点に眼鏡全体の荷重の過半量がかかるように前後に重量配分又はモーメント配分してなることを特徴とする。耳と耳掛け部との接触部分を支点としたときにこの支点を境として前後に均等又は略均等な重量配分或いはモーメント配分がかかるように、質量体の質量及び形状を調節する。調節の手段は、実施例１，２のように耳掛け構造の交換又は耳掛け構造に付属する質量体の付加によるものでもよく、或いは実施例３，４のように軸回転構造や屈曲角度可変構造によるモーメントの調節機構であってもよい。
【００１１】
なおいずれの実施例においても、耳掛け部以遠を除く本考案の眼鏡本体はその基本構成として、レンズフレームＧＦによって周部の少なくともいずれかが覆われた左右のレンズＧと、左右のレンズ又はレンズフレーム同士をブリッジ連結する連結フレームＣと、左右のレンズの各近接辺に取り付けられたパッド状の鼻当て部Ｐと、左右のレンズの両外端から後方へフレーム上に新著するつる本体Ｆとを具備してなる。また、前記つるは、レンズフレームから後方へ伸長するフレーム枠状のつる本体と、つる本体の先側にて耳への掛け部として取り付けられた湾曲又は屈曲棒状の耳掛け部とから構成される。
【００１２】
また、鼻当て部に加えて或いはこれに変えて、実施例１のような連結材、或いは実施例５のような当接フレームの少なくともいずれかを付加して、眼鏡の装着時の支持構造或いは脱落防止構造を備えたものとしてもよい。以下、実施例における構成につき詳述する。
【実施例１】
【００１３】
図１〜３に示す実施例１の耳掛け構造及びこれを備えた眼鏡は、つる本体Ｆの後端に、耳形状に沿って下方に湾曲した湾曲棒体からなる耳掛け部１が固定されており、この耳掛け部１の湾曲端１Ｅからさらに湾曲方向先側へ伸長して、棒状の伸長部２が差し込み固定されてなる。また、伸長部２の伸長先部には、上方へ屈曲形成されたフック部２１が形成される。そして、左右のフック部２１にそれぞれ係止可能な係止環３１を両端に有した弾性紐状の連結材３を具備してなる。
耳掛け部１の湾曲端１Ｅの端面には螺子孔が形成され、伸長部の差し込み側端部にはこの螺子孔に螺入する外螺子が形成されている（図示せず）。伸長部２は所定に設定調節された質量体からなり、伸長部２を取り付けた実施例１の眼鏡を装着した状態では、図２や図３に示すように、耳掛け部と装着者の耳との接触部１Ｔを支点としてその前後の重量配分が略均等となっている。なお図２の装着状態において、連結材３は左右のフック部２１に両端連結されて装着者の後頭部にて弾性伸長し、その弾性反力によって耳掛け部１の湾曲部分以遠及び伸長部２に、湾曲方向を中心とする回転モーメントを与えており、これによって後頭部を緩やかに締め付けて、後方への落下を防ぐものとしている。また図３の装着状態において、連結材３は左右のフック部２１に両端連結されて装着者ののど元を通って弾性伸長し、その弾性反力によって耳掛け部１の湾曲部分以遠及び伸長部２に、湾曲方向を中心とする回転モーメントを与えると共に、耳の付け根上部を境とした上下へ、頭部前方上下部への２つのループ構造を形成している。これによって、眼鏡が後方へずれ落ちた場合でも、連結材３の下方ループによって落下するのを防ぐものとしている。
【００１４】
なお上記構成においては、既存の眼鏡構造の耳掛け部の湾曲端２１Ｅに螺子孔或いは連結構造を付加形成することで、既存の眼鏡の前後重量配分を変えることも可能である。また他に、長さ調節または太さ調節によって質量の異なる複数の伸長部２を用意し、装着感に応じて左右で異なる質量の伸長部２を使用したり、使用態様に応じて異なる質量やデザインの伸長部２に交換したりすることも可能である。例えば、複数種の質量体からなる伸長部のみを備えた眼鏡の付加付属品セットとして提供することや、眼鏡本体を含む眼鏡セットとして提供することも可能である。また例えば、連結材３の両端の連結構造を、既存の眼鏡の耳掛け部の湾曲端に被せて取り付けられるキャップ状のものとし、連結材３自体を所定の質量体で構成して、場合によって伸長部２を使用せずに連結材３のみで接触部前後の重量バランスをとるものとしてもよい。
【実施例２】
【００１５】
図４に示す実施例２の眼鏡においては、湾曲又は屈曲形状の耳掛け部のうち、耳への接触部よりも先側の後方部が、交互位置の一部切り欠き１１Ｄ、１２Ｄによる嵌合構造によって、耳への接触部を含むつる側の前方掛け部に対して分離可能に接続されるものとしている。具体的には実施例２の耳掛け部は、つる本体と一体連結されて耳掛け形状に湾曲した前方掛け部１１と、この前方掛け部１１の端部と取り外し可能に連結する後方部１２とから構成される。前方掛け部１１及び後方部１２はそれぞれ、端部の下部及び上部に鉤状の一部切り欠き１１Ｄ、１２Ｄが形成され、端部の残り部分がＬ型に突出した片状の突出部１１Ｌ、１２Ｌとなっている。そして、一方の突出部１１Ｌと他方の一部切り欠き１２Ｄ、他方の突出部１２Ｌと一方の一部切り欠き１１Ｄがそれぞれ当接して組み合され、嵌合して耳掛け部１を構成する。ここで、各突出部１１Ｔ、１２Ｔの先端には連結用穴１１Ｈ、１２Ｈが形成され、この連結用穴１１Ｈ、１２Ｈに合わせて部分球状の連結棒１３，１４が、一部切り欠き１１Ｄ、１２Ｄからそれぞれ突出形成される。連結棒１３，１４はそれぞれ先部近傍が一旦窄み部となり、その先が球状の頭部１３Ｔとして形成される。また連結用穴１１Ｈ、１２Ｈもこの形状に対応して穴内に窄み部が形成される。これにより窄み部内へ頭部が係止収容されることで、容易に脱落せず繰り返し連結可能となっている。
【００１６】
また実施例２において、後方部のさらに先側には、装着時に斜め下後方へ伸長する伸長部が形成され、一体構成された後方部１２及び伸長部２によって前記所定の質量体が構成されるものとしている。実施例２においては、後方部１２と伸長部２が一体構成されているが、実施例１と同様に、後方部１２と伸長部２が分離可能に差し込み構成されるものとし、支点となる接触部１Ｔより後方の重量を交換或いは分離によって微調節することも可能である。その他特記しない他の構成および装着方法は、実施例１と同様である。
【実施例３】
【００１７】
図５に示す実施例３の眼鏡においては、耳掛け部（１）のうち、耳への接触部以遠の後方部１２が、耳への接触部を少なくとも部分的に含むつる本体Ｆ側の前方掛け部１１に対して、側面視における屈曲角度を調節可能に接続される。屈曲角度の調節によって、耳への接触部を中心とした側面視後方廻りのモーメントを微調整することができる。より具体的には、前方掛け部の後端は側面視半円状に成形されると共に、平面視にて中央縦溝が形成され、さらに半円板面の中心にピン１１Ａが挿通固定されることで、一対の半長円板による枢支枠１１Ｐが構成される。また後方部１２の先端は、同じく側面視半円状に成形されると共に前記枢支枠１１Ｐの板間に挿入される薄板状に成形され、かつピン１１Ａを溝底に収容し得る切り欠き溝をこの薄板の前方辺から切り欠き形成することで、フック状の枢支可能な引っ掛け板１２Ｆが成形される。引っ掛け板１２Ｆは枢支枠１１Ｐ内にてピン１１Ａと係止し、ピンを中心に回転可能となる。なお回転接触部には所定の摩擦抵抗が生じるように微細凹凸による粗面接触構造としており、所定の回転角度を保持することが可能となっている（図示せず）。また実施例３においても、後方部１２のさらに先側には装着時に斜め下後方へ伸長する伸長部が形成され、後方部及び伸長部によって前記所定の質量体が構成される。その他特記しない他の構成および装着方法は、実施例１と同様である。
【実施例４】
【００１８】
図６，７に示す実施例４の眼鏡において、耳掛け部は、レンズフレームから後方へ伸長するつる本体の伸長軸周りに回動調節可能とする回動機構１１Ｒと、この回動機構よりも先側にて、つる本体の伸長方向に対して湾曲又は屈曲方向へ、片扁平形状に膨出形成された膨出部１３１とを具備してなる。この膨出部１３１が他の実施例の後方部１２に相当する質量体で構成されてなり、膨出部１３１によって所定の質量で接触部後方の重量を確保している。また回転機構１１Ｒは、耳掛け前方部１１とつる本体Ｆの接続部分に介設されてなり、耳掛け部１全体を伸長軸周りに所定角度だけ回動調節可能とし、且つ、回動させた角度を保持可能としている。さらにこの膨出部１３１は両側面が緩湾曲面からなると共にその片側のみ後方へ大きく膨出した片扁平形状となっている。これにより、例えば図６に示す横向き状態Ｓ２に回転調節することで、後方廻りのモーメントを小さくし且つ片膨出先端１３Ｅを後頭部へ当接させて装着圧を大きくすることができる。或いは例えば図７に示す縦向き状態Ｓ１に回転調節することで、後方廻りのモーメントを大きくし且つ緩湾曲側面１３Ｓを耳後部に当接させて装着圧を小さくくすることができる。その他特記しない他の構成および装着方法は、実施例１と同様である。
【実施例５】
【００１９】
図８に示す実施例５の眼鏡において、左右のレンズフレームの上枠部又はこれらレンズフレームＧＦを繋ぐ連結フレームＣから交差して後方へ伸び、装着者のこめかみ近傍に先端当接する当接フレーム４を具備してなる。実施例５ではさらに当接フレームの当接部から側方へ、眉毛の疑似品を設けている。実施例の当接フレーム４は連結フレームＣの両端からその上縁位置のまま後方へ交差して亘る平面視Ｘ字状の交差フレームからなる。交差部４Ｘを有することで交差部より後方のフレーム先部に弾性機能を与えることができ、装着時の負荷を軽減するものとしている。また剛性を高めるものとしている。実施例５の眼鏡における耳掛け部及びその後部の伸長部等の構成は、実施例１と同様である。或いは実施例２ないし４のいずれかの構成を代わりに採用するか、一部に組み合せたものとしてもよい。
【００２０】
なお、前記いずれかに記載の眼鏡において、左右の質量体の一部同士を取り外し可能に繋いで弾性連結される線状又は帯状の連結材を具備してなり、眼鏡の装着時においてこの連結材が左右の耳の後方から装着者の後頭部または前顎部近傍を弾性伸長した状態で亘ることとしてもよい。上記連結材は、眼鏡が不要に落下しないだけの落下防止帯の機能を果たす。
【００２１】
（眼鏡セット）また、本考案の眼鏡セットとして、前記いずれかに記載の眼鏡における質量体を除く眼鏡本体と、つるの端部又はその近傍にそれぞれ取り付け可能な、互いに形状又は／質量の異なる複数の質量体とを具備した眼鏡セットからなるものとしてもよい。所定形状及び所定質量であるいずれかの質量体を各つるの端部又はその近傍に取り付けることで、前記支点を境とした前方と後方のモーメント配分が均等又は略均等に保持される。
【００２２】
（眼鏡の耳掛け構造）また、本考案の眼鏡の耳掛け構造として、前記いずれかの眼鏡において、つるにおける耳掛け部の一部またはその延長部として、耳掛け部の耳への接触部よりも後方を含む部分に取り付け可能に構成された所定の質量体を分離構成してもよい。耳掛け構造は既存の又は新品の眼鏡本体に取り付け又は交換可能に付加されるものであって、質量体が取り付けられた状態で、装着時に耳と耳掛け部との接触部分を支点としてこの支点に眼鏡全体の荷重の過半量がかかるように前後に重量配分する。
【００２３】
その他本考案は上述した実施例に限定されることなく、本考案の趣旨を逸脱しない範囲で、一部構成の省略又は抽出、実施例間での構成の組み合わせ、他の構成の付加、別部材の組み合わせ或いは別部材同士の一体化構成或いは一部分の別部材による組み合わせ構成、一部構成材の形状又は全体形状の変更など、種々の変更が可能である。
【符号の説明】
【００２４】
１  耳掛け部
１Ｅ  湾曲端
１Ｔ  接触部
１１  前方掛け部
１１Ａ  ピン
１１Ｄ、１２Ｄ  一部切り欠き
１１Ｈ、１２Ｈ  連結用穴
１１Ｌ、１２Ｌ  突出部
１１Ｐ  枢支枠
１１Ｒ  回動機構
１２  後方部
１２Ｆ  引っ掛け板
１３，１４  連結棒
１３１  膨出部
１３Ｅ  片膨出先端
１３Ｓ  緩湾曲側面
２  伸長部
２１  フック部
３  連結材
３１  係止環
４  当接フレーム
５  眉毛疑似品
Ｃ  連結フレーム
Ｆ  つる本体
Ｇ  レンズ
ＧＦ  レンズフレーム
Ｐ  鼻当て部
Ｓ２  横向き状態
Ｓ１  縦向き状態
【図１】
0003174825.tif 000003
【図２】
0003174825.tif 000004
【図３】
0003174825.tif 000005
【図４】
0003174825.tif 000006
【図５】
0003174825.tif 000007
【図６】
0003174825.tif 000008
【図７】
0003174825.tif 000009
【図８】
0003174825.tif 000010
【手続補正書】
【提出日】平成24年2月8日(2012.2.8)
【手続補正１】
【補正対象書類名】実用新案登録請求の範囲
【補正対象項目名】全文
【補正方法】変更
【補正の内容】
【実用新案登録請求の範囲】
【請求項１】
つるにおける耳掛け部の端部又はその近傍を所定の質量体で形成し、装着時に耳と耳掛け部との接触部分を支点としてこの支点に眼鏡全体の荷重の過半量がかかるように前後に重量又はモーメント配分してなることを特徴とする眼鏡。
【請求項２】
つるにおける湾曲又は屈曲形状の耳掛け部のうち、耳への接触部よりも先側の後方部が、耳への接触部を含むつる側の前方掛け部に対して分離可能に接続され、且つ、後方部のさらに先側には装着時に斜め下後方へ伸長する伸長部が形成され、後方部及び伸長部によって前記所定の質量体が構成される請求項１に記載の眼鏡。
【請求項３】
前記つるにおける耳掛け部のうち、耳への接触部以遠の後方部が、耳への接触部を少なくとも部分的に含むつる側の前方掛け部に対して角度調節可能に接続され、且つ、後方部のさらに先側には装着時に斜め下後方へ伸長する伸長部が形成され、後方部及び伸長部によって前記所定の質量体が構成される請求項１又は２に記載の眼鏡。
【請求項４】
前記耳掛け部は、レンズフレームから後方へ伸長するつる本体の伸長軸周りに回動調節可能とする回動機構と、この回動機構よりも先側にて、つる本体の伸長方向に対して湾曲又は屈曲方向に膨出形成された後方部とを具備してなり、前記後方部によって前記所定の質量体が構成される請求項１乃至３のいずれかに記載の眼鏡。
【請求項５】
左右の質量体の一部同士を取り外し可能に繋いで弾性連結される線状又は帯状の連結材を具備してなり、眼鏡の装着時においてこの連結材が左右の耳の後方から装着者の後頭部または前顎部近傍を弾性伸長した状態で亘る請求項１乃至４のいずれかに記載の眼鏡。
【請求項６】
眼鏡を構成する左右のレンズフレームの上枠部又はこれらレンズフレームを繋ぐ連結フレームから交差して後方へ伸び、装着者のこめかみ近傍に先端当接する当接フレームを具備してなる請求項１乃至５のいずれかに記載の眼鏡。
【請求項７】
請求項１乃至６のいずれかに記載の眼鏡における質量体を除く眼鏡本体と、つるの端部又はその近傍にそれぞれ取り付け可能な、互いに形状又は／質量の異なる複数の質量体とを具備した眼鏡セットからなり、所定形状及び所定質量であるいずれかの質量体を各つるの端部又はその近傍に取り付けることで、前記支点を境とした前方と後方のモーメント配分が均等となっていることを特徴とする眼鏡セット。
【手続補正３】
【補正対象書類名】明細書
【補正対象項目名】０００１
【補正方法】変更
【補正の内容】
【０００１】
本考案は眼鏡及び眼鏡セットに関する。
【手続補正４】
【補正対象書類名】明細書
【補正対象項目名】０００５
【補正方法】変更
【補正の内容】
【０００５】
そこで本考案では、眼鏡の荷重の前後偏在をなくし、装着者の鼻梁への圧迫感や装着負担を軽減し、また装着状態において、衝撃や振動等の外力が加わった際に前下方へずれ落ちてしまうことのない眼鏡を提供することを課題とする。
【手続補正５】
【補正対象書類名】明細書
【補正対象項目名】０００６
【補正方法】変更
【補正の内容】
【０００６】
上記課題を解決すべく本考案では以下（１）〜（７）の手段を講じている。
（１）すなわち本考案の眼鏡は、つるにおける耳掛け部の端部又はその近傍を所定の質量体で形成し、装着時に耳と耳掛け部との接触部分を支点としてこの支点に眼鏡全体の荷重の過半量がかかるように前後に重量配分又はモーメント配分してなることを特徴とする。
（２）前記眼鏡において、つるにおける湾曲又は屈曲形状の耳掛け部のうち、耳への接触部よりも先側の後方部が、耳への接触部を含むつる側の前方掛け部に対して分離可能に接続され、且つ、後方部のさらに先側には装着時に斜め下後方へ伸長する伸長部が形成され、後方部及び伸長部によって前記所定の質量体が構成されることが好ましい。
（３）前記いずれかの眼鏡において、つるにおける耳掛け部のうち、耳への接触部以遠の後方部が、耳への接触部を少なくとも部分的に含むつる側の前方掛け部に対して角度調節可能に接続され、且つ、後方部のさらに先側には装着時に斜め下後方へ伸長する伸長部が形成され、後方部及び伸長部によって前記所定の質量体が構成されることが好ましい。
（４）前記眼鏡において、耳掛け部は、レンズフレームから後方へ伸長するつる本体の伸長軸周りに回動調節可能とする回動機構と、この回動機構よりも先側にて、つる本体の伸長方向に対して湾曲又は屈曲方向に膨出形成された後方部とを具備してなり、前記後方部によって前記所定の質量体が構成されることが好ましい。
つるは、レンズフレームから後方へ伸長するフレーム枠状のつる本体と、つる本体の先側にて耳への掛け部として取り付けられた湾曲又は屈曲棒状の耳掛け部とから構成される。
（５）前記いずれかに記載の眼鏡において、左右の質量体の一部同士を取り外し可能に繋いで弾性連結される線状又は帯状の連結材を具備してなり、眼鏡の装着時においてこの連結材が左右の耳の後方から装着者の後頭部または前顎部近傍を弾性伸長した状態で亘ることとしてもよい。上記連結材は、眼鏡が不要に落下しないだけの落下防止帯の機能を果たす。
（６）前記いずれかに記載の眼鏡において、眼鏡本体を構成する左右のレンズフレームの上枠部又はこれらレンズフレームを繋ぐ連結フレームから交差して後方へ伸び、装着者のこめかみ近傍に先端当接する当接フレームを具備してなるものとしてもよい。
（７）本考案の眼鏡セットは、前記いずれかに記載の眼鏡における質量体を除く眼鏡本体と、つるの端部又はその近傍にそれぞれ取り付け可能な、互いに形状又は／質量の異なる複数の質量体とを具備した眼鏡セットからなり、所定形状及び所定質量であるいずれかの質量体を各つるの端部又はその近傍に取り付けることで、前記支点を境とした前方と後方のモーメント配分が均等となっていることを特徴とする。
【手続補正６】
【補正対象書類名】明細書
【補正対象項目名】０００７
【補正方法】変更
【補正の内容】
【０００７】
本考案は上記手段を講じることで、眼鏡の荷重の前後偏在をなくし、装着者の鼻梁への圧迫感や装着負担を軽減し、また装着状態において、衝撃や振動等の外力が加わった際に前下方へずれ落ちてしまうことのない眼鏡を提供するものとなった。
【手続補正７】
【補正対象書類名】明細書
【補正対象項目名】００１１
【補正方法】変更
【補正の内容】
【００１１】
なおいずれの実施例においても、耳掛け部以遠を除く本考案の眼鏡本体はその基本構成として、レンズフレームＧＦによって周部の少なくともいずれかが覆われた左右のレンズＧと、左右のレンズ又はレンズフレーム同士をブリッジ連結する連結フレームＣと、左右のレンズの各近接辺に取り付けられたパッド状の鼻当て部Ｐと、左右のレンズの両外端から後方へフレーム上に伸長するつる本体Ｆとを具備してなる。また、前記つるは、レンズフレームから後方へ伸長するフレーム枠状のつる本体と、つる本体の先側にて耳への掛け部として取り付けられた湾曲又は屈曲棒状の耳掛け部とから構成される。